(57)【要約】 【課題】  軸筒内のインキ吸蔵体に含浸されたインキを筆記部となるペン先に供給する筆記具のインキ終了サインを検知するメカニズムを改良して、インキの終了サインを確実に、かつ視覚的にも面白く、美的にも優れたインキ終了検知式筆記具を提供することを目的とする。【解決手段】  軸筒内のインキ吸蔵体に含浸されたインキを筆記部となるペン先に供給する筆記具であり、上記インキ吸蔵体に含浸されたインキが視認性を有する透明または半透明の材質で形成されたインキ誘導管を介してペン先に供給されると共に、インキ吸蔵体からのインキ終了サインを軸筒に形成した視認部を介して上記インキ誘導管を視認することにより検知するインキ終了検知式筆記具において、該インキ誘導管が１本であり、かつインキ誘導管中にインキ流路を複数本設けることにより解決した。【選択図】  図１
2005193520.tif 000002
【特許請求の範囲】
【請求項１】
軸筒内のインキ吸蔵体に含浸されたインキを筆記部となるペン先に供給する筆記具であり、上記インキ吸蔵体に含浸されたインキが、視認性を有する透明または半透明の材質で形成され、インキ吸蔵体からのインキ終了サインを軸筒に形成した視認部を介して上記インキ誘導管を視認することにより検知するインキ終了検知式筆記具において、該インキ誘導管が１本であり、かつインキ誘導管内部にインキ流路が複数本あることを特徴とするインキ終了検知式筆記具。
【請求項２】
前記インキ誘導管が円筒状、中空円柱状、四角柱状、三角柱状、板状、円錐台状等の形状をなしていることを特徴とする請求項１に記載のインキ終了検知式筆記具。
【請求項３】
前記インキ誘導管中の複数本のインキ流路間は、空間である、もしくは透明または半透明であることを特徴とする請求項１〜２に記載のインキ終了検知式筆記具。
【請求項４】
インキ誘導管及び／またはインキ誘導管内のインキ流路の内壁が、インキ組成物の表面自由エネルギーよりも低く調整されたことを特徴とする請求項１〜３に記載のインキ終了検知式筆記具。
【発明の詳細な説明】
【技術分野】
【０００１】
本発明は、軸筒内のインキ吸蔵体に含浸されたインキを筆記部となるペン先に供給する筆記具に関し、更に詳しくは、この構造においてインキの終了サインを間違いなく検知することができるインキ終了検知式筆記具に関する。
【背景技術】
【０００２】
従来、軸筒内のインキ吸蔵体に含浸されたインキを筆記部となるペン先に供給する筆記具、所謂中綿式筆記具においては、今までインキの終了サインを簡単かつ間違いなく検知することができる機構を具備した筆記具はなかった。
【０００３】
本出願人は、これを解決するために、新しく効果的な機構を発明して提案している。（例えば、特許文献１）
【０００４】
しかしながら、特許文献１については、ペン芯とインキ吸蔵体を視認性を有するインキ誘導管を介して連結し、軸筒の視認部を介してインキ吸蔵体からのインキの終了サインを視認することにより検知するメカニズムであるが、インキ誘導管が１本であるためインキ吸蔵体内のインキが十分に残っているにもかかわらず、インキ誘導管内のインキ流路がインキ詰りを生じたり、何らかの事故によりインキ誘導管内のインキが切れてしまった際には筆記ができなくなってしまう場合がある。
【特許文献１】特開２００３−３４１２７９号特許第３４７４８７６号（特許請求の範囲等）
【発明の開示】
【発明が解決しようとする課題】
【０００５】
本発明は、上記特許文献１のようなメカニズムを改良し、インキ誘導管中の１本のインキ流路にインキ詰り等の何らかの事故がおこった場合でも他のインキ流路によって筆記ができ、またインキ吸蔵体内のインキが終了した時点では確実にインキ終了サインを検知することができると共に、視覚的にも面白く、美的にも優れたインキ終了検知式筆記具を提供することを目的とする。
【課題を解決するための手段】
【０００６】
本発明者らは、上記課題等に鑑み、これを解決しようとするものであり、種々の形状をした１本のインキ誘導管内に複数本のインキ流路を設けることによって、本発明を完成するに至ったのである。
すなわち、本発明のインキ終了検知式筆記具は、次の（１）〜（３）に存する。
（１）軸筒内のインキ吸蔵体に含浸されたインキを筆記部となるペン先に供給する筆記具であり、上記インキ吸蔵体に含浸されたインキが、視認性を有する透明または半透明の材質で形成され、インキ吸蔵体からのインキ終了サインを軸筒に形成した視認部を介して上記インキ誘導管を視認することにより検知するインキ終了検知式筆記具において、該インキ誘導管が１本であり、かつインキ誘導管内部にインキ流路が複数本あることを特徴とするインキ終了検知式筆記具。
（２）前記インキ誘導管が円筒状、中空円柱状、四角柱状、三角柱状、板状、円錐台状等の形状をなしていることを特徴とする（１）に記載のインキ終了検知式筆記具。
（３）前記インキ誘導管中の複数本のインキ流路間は、空間である、もしくは透明または半透明であることを特徴とする（１）〜（２）に記載のインキ終了検知式筆記具。
（４）インキ誘導管及び／またはインキ誘導管内のインキ流路の内壁が、インキ組成物の表面自由エネルギーよりも低く調整されたことを特徴とする（１）〜（３）に記載のインキ終了検知式筆記具。
【発明の効果】
【０００７】
本発明は、前記のように構成されており、万一、インキ誘導管中の１本のインキ流路にインキ詰り等何らかの事故がおこって、インキ終了サインを検知することができなくなった場合においても、他のインキ流路によってインキ終了サインを検知することができるため、インキ終了検知を確実におこなうことができるとともに、複数本のインキ流路を有するインキ誘導管が一体で形成されているので、組み立てが容易であり、コストも安くなる。      
また、インキ誘導管を円筒状、中空円柱状、四角柱状、三角柱状、板状、円錐台状等の形状に形成し、１本のインキ誘導管内に複数本のインキ流路を形成し、かつ、インキ流路間を空間である、もしくは透明または半透明であることにより、視覚的にも面白く、美的にも優れたものとなる。
【発明を実施するための最良の形態】
【０００８】
以下に、本発明を実施するための最良の実施形態を詳しく説明する。まず、インキ終了検知式筆記具の構造について図面を参照しながら説明する。図１は、本発明のインキ終了検知式筆記具の一実施形態を示すものであり、サインペン、マーカー、ホワイトボード用マーカー等に好適に使用することができるものである。また、図示していないが、ペン先がボールを保持する構造のボールペン等の筆記具であってもなんら差し支えがない。
本実施形態の筆記具は、図１に示すように、筆記具本体となる軸筒１０、インキ吸蔵体２０、視認性を有するインキ誘導管３０、ペン先４０、尾栓６０とを備えている。
軸筒１０は、例えば、熱可塑性樹脂、熱硬化性樹脂、ガラス等で形成されるものであり、先端側がテーパー部を有する小径部１０ａと、大径部１０ｂとが一体となったものであり、該小径部１０ａ内にはペン先４０を嵌着する嵌着部１１を有すると共に、大径部１０ｂ内はインキ誘導管３０によって連結された筆記具用インキを含浸したインキ吸蔵体２０を収容する構造となっている。
【０００９】
また、軸筒１０内に収容した視認性を有するインキ誘導管３０の位置に相当する部分の、軸筒１０の一部または全部を軸筒内のインキ誘導管３０を視認できるように透明体または半透明体から構成された視認部１２とする。
なお、軸筒１０全体を視認性を有する透明または半透明材料から構成して、軸筒１０全体を視認できるものであってもよいものであり、また、軸筒１０全体を視認性を有する透明または半透明材料から構成して、視認部１２以外を着色部や装飾部として非視認部としてもよいものである。
【００１０】
インキ吸蔵体２０は、水性インキ、油性インキなどの筆記具用インキを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種または２種以上の組み合わせからなる繊維束、フェルト等の繊維束を加工したもの、また、スポンジ、樹脂粒子の焼結体等の多孔体を含むものであり、軸筒１０の前方部を封塞する前部保持体２２と尾栓６０とにより軸筒１０内に収容されている。
【００１１】
インキ誘導管３０は、図１に示すように、視認性を有する円筒状（管状）のインキ流通部材となるものであり、円筒内壁部に複数本の内部にインキ流路３２を設けた筒状のインキ管３１を一体に形成している。インキ誘導管３０及びインキ管３１は、例えば、樹脂、ゴム、または、ガラス製等の透明部材または半透明部材の材質から構成されている。具体的には、透明または半透明の樹脂としては、ポリプロピレン、ポリエチレン、環状ポリオレフィン、ポリ（１−メチル−４−ペンテン）などのポリオレフィン系樹脂、ポリカーボネート、ポリスチレン、ポリエチレンテレフタレート、並びに、フッ素樹脂、フッ化ビニリデンなどのフッ素プラスチックなどが挙げられ、また、透明または半透明のゴムとしては、フッ素ゴムやシリコーンゴムなどが挙げられる。本実施形態では、ポリプロピレンから構成されている。
更に、上記樹脂、ゴムまたは、ガラス製等の透明または半透明部材の少なくともインキと接触する壁面にインキの表面自由エネルギーよりも低下させる表面処理を施してもよい。具体的には、フッ素コートやフッ素樹脂コート、またはジメチルシリコーンを骨格とするシリコーン樹脂コート処理等が挙げられる。
また、樹脂自体がインキをはじく材料、例としてフッ素樹脂、シリコーン樹脂、四フッ化ポリエチレン、フッ化ビニリデン、テトラフルオロエチレン−パーフルオロアルキルビニルエーテルコポリマー（ＰＦＡ）等を使用しても良い。
このインキ誘導管３０の後端部分３０ａは、インキ吸蔵体２０内部に嵌入されると共に、前端部分３０ｂは、ペン先部保持体２３を貫通してペン先４０の後端部分とペン先保持体２３の間のインキ保溜体５０に嵌入されている。これにより、インキ誘導管３０は、軸筒１０内を封塞する前部保持体２２とペン先部保持体２３とにより、軸筒１０内に視認空間部１４が形成されると共に、該視認空間部１４の中心部分に保持されるものとなっている。
また、インキ誘導管３０内部の空間部３３は、空間のままにすることによって、樹脂の量を削減できる効果があるが、必要ならば他の樹脂等で空間部３３を埋めても良い。
【００１２】
この構成により、軸筒１０の視認部１２を視認すれば視認部１２を介してインキ誘導管３０が容易に視認されることになる。
【００１３】
また、インキ誘導管３０内のインキ管３１は複数本あるので、１本のインキ管３１内のインキ流路３２がインキ詰り等の事故によりインキの終了を検知することが出来なくなった場合でも、他のインキ管３１によりインキの終了を確実に検知することが出来る。また、インキ管３１が複数本あるので、視覚的にもおもしろく、かつ美的感覚にも優れている。
【００１４】
また、インキ吸蔵体２０からインキ誘導管内の終点検知の表示をスムーズに行うために、視認性を有するインキ誘導管３０内のインキ管３１のインキと接する面またはインキ誘導管３０及びインキ管３１の材質自体の表面張力をインキの表面張力よりも小さくすることが好ましい。なお、インキ管３１のインキと接する面がインキの表面自由エネルギーよりも大きい場合には、フッ素処理、シリコーン処理などをすることにより、インキ管３１のインキと接する面をインキの表面張力よりも小さくすることができる。
【００１５】
ペン先４０は、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種または２種以上の組み合わせからなる平行繊維束、フェルト等の繊維束を加工又はこれらの繊維束を樹脂加工した繊維芯、または、各種のプラスチック粉末などを融結したポーラス体などからなるペン先からなるものであり、その形状も筆記具の形態、例えば、マーキングペン、サインペン等に応じて各形状のものが選択されるものである。
図２は、第１実施例の要部を示す立体図であり、図３は、図１のＡ−Ａ断面図である。
【００１６】
図４は、本発明の第２の実施形態を説明する断面図であり、インキ誘導管３０が円錐台の形状となっており、インキ誘導管３０の内部に蜂の巣状に複数本のインキ流路３２を形成してある。第１の実施形態の円筒状のインキ誘導管３０と異なり、第２の実施形態のインキ誘導管３０は円錐台の形状であり、その内部に複数本のインキ流路３２が斜めに設けてあるため、インキの終了を確実に視認することができるのはもちろんのこと、視覚的にも、美的にも優れたものとなる。また、図５は、第２の実施例のインキ誘導管３０を示す立体図である。
【００１７】
図６は、本発明の第３の実施例のインキ誘導管３０であり、円筒形状の筒体の内部に複数本のインキ流路３２を形成したものの縦にした状態を示す断面図であり、図７は、そのＡ−Ａ断面図である。
【００１８】
図８は、本発明の第４の実施例のインキ誘導管３０であり、板状の両端部にふくらみを設け、その内部にそれぞれインキ流路３２を形成したものの縦にした状態を示す断面図であり、図９は、そのＡ−Ａ断面図である。
【００１９】
図１０は、本発明の第５の実施例のインキ誘導管３０であり、三角柱の形状をしており、三角の３つの頂点部分にそれぞれインキ流路３２を形成したものの縦にした状態を示す断面図であり、図１１は、そのＡ−Ａ断面図である。
【００２０】
図１２は、本発明の第６の実施例のインキ誘導管３０であり、四角柱の形状をしており、四角の４つの頂点部分にそれぞれインキ流路３２を形成したものの縦にした状態を示す断面図であり、図１３は、そのＡ−Ａ断面図である。
【００２１】
図１４は、本発明の第７の実施例のインキ誘導管３０であり、円筒の内部に三角柱を形成し、円と三角にはさまれた３つの空間部をインキ流路３２としたものの縦にした状態を示す断面図であり、図１５は、そのＡ−Ａ断面図である。
【００２２】
図１６は、本発明の第８の実施例のインキ誘導管３０であり、円筒の内部に円柱を設け、それを４本の板状の腕でつないで形成し、その間にできた４つの空間部をインキ流路３２としたものの縦にした状態を示す断面図であり、図１７は、そのＡ−Ａ断面図である。
【００２３】
図１８は、本発明の第９の実施例のインキ誘導管３０であり、間に２つの空間部ができるように３枚の板で取り囲んで長方形の筒体を形成したものの縦にした状態を示す断面図であり、図１９は、そのＡ−Ａ断面図である。
【００２４】
図２０は、本発明の第１０の実施例のインキ誘導管３０であり、４本の溝を設けた板と平板な板を貼り合わせて長方形の四角柱を形成したものの縦にした状態を示す断面図であり、図２１は、そのＡ−Ａ断面図である。
【００２５】
また、１本のインキ誘導管３０内に複数本のインキ流路３２を形成するには、押し出し成型、射出成型等の方法で一体成型すれば、コストも安価にできるが、２部品以上の射出成形または押出し成形により成形された部品を接合させて形成する方法も用いることができる。
【図面の簡単な説明】
【００２６】
【図１】本発明の第１の実施形態を示す筆記具の概要断面図である。
【図２】本発明の第１の実施形態の要部を示す立体図である。
【図３】本発明の図１のＡ−Ａ断面図である。
【図４】本発明の第２の実施形態を示す要部の概略断面図である。
【図５】本発明の第２の実施形態のインキ誘導管を示す立体図である。
【図６】本発明の第３の実施形態のインキ誘導管の縦にした状態を示す断面図である。
【図７】本発明の第３の実施形態のインキ誘導管のＡ−Ａ断面図である。
【図８】本発明の第４の実施形態のインキ誘導管の縦にした状態を示す断面図である。
【図９】本発明の第４の実施形態のインキ誘導管のＡ−Ａ断面図である。
【図１０】本発明の第５の実施形態のインキ誘導管の縦にした状態を示す断面図である。
【図１１】本発明の第５の実施形態のインキ誘導管のＡ−Ａ断面図である。
【図１２】本発明の第６の実施形態のインキ誘導管の縦にした状態を示す断面図である。
【図１３】本発明の第６の実施形態のインキ誘導管のＡ−Ａ断面図である。
【図１４】本発明の第７の実施形態のインキ誘導管の縦にした状態を示す断面図である。
【図１５】本発明の第７の実施形態のインキ誘導管のＡ−Ａ断面図である。
【図１６】本発明の第８の実施形態のインキ誘導管の縦にした状態を示す断面図である。
【図１７】本発明の第８の実施形態のインキ誘導管のＡ−Ａ断面図である。
【図１８】本発明の第９の実施形態のインキ誘導管の縦にした状態を示す断面図である。
【図１９】本発明の第９の実施形態のインキ誘導管のＡ−Ａ断面図である。
【図２０】本発明の第１０の実施形態のインキ誘導管の縦にした状態を示す断面図である。
【図２１】本発明の第１０の実施形態のインキ誘導管のＡ−Ａ断面図である。
【符号の説明】
【００２７】
１０    軸筒
１２    視認部
１４    視認性空間部
２０    インキ吸蔵体
２２    前部保持体
２３    ペン先部保持体
３０    インキ誘導管
３１    インキ管
３２    インキ流路
３３    空間部
４０    ペン先
５０    インキ貯溜体
【図１】
2005193520.tif 000003
【図２】
2005193520.tif 000004
【図３】
2005193520.tif 000005
【図４】
2005193520.tif 000006
【図５】
2005193520.tif 000007
【図６】
2005193520.tif 000008
【図７】
2005193520.tif 000009
【図８】
2005193520.tif 000010
【図９】
2005193520.tif 000011
【図１０】
2005193520.tif 000012
【図１１】
2005193520.tif 000013
【図１２】
2005193520.tif 000014
【図１３】
2005193520.tif 000015
【図１４】
2005193520.tif 000016
【図１５】
2005193520.tif 000017
【図１６】
2005193520.tif 000018
【図１７】
2005193520.tif 000019
【図１８】
2005193520.tif 000020
【図１９】
2005193520.tif 000021
【図２０】
2005193520.tif 000022
【図２１】
2005193520.tif 000023